(57)【要約】【課題】背負いベルトを使用しない場合において、背負いベルトの取付金具自体をポケット部の外部に露出させず、見た目でも体裁の良いものとする。【解決手段】カバン本体１の下側左右対称位置に対し、左右一対の背負いベルトＲの各他端側を着脱自在に装着可能とすると共に、カバン本体１の背面側のスライドファスナー２Ａにより開閉可能としたポケット部２と、左右一対の背負いベルトＲの各一端側を着脱可能とし、ポケット部２に対して露出、収納が可能となるように当該ポケット部２内側に固定した取付金具３とを備える。取付金具３は、背負いベルトＲの一端側に設けた巻装固定部材４を巻き込み雄雌ボタン部１５を嵌合することで背負いベルトＲの一端が取り付け可能となるよう、Ｄ型、円形、楕円形、三角形、矩形、五角形等の環状に形成する。【選択図】          図１
2004290425.tif 000002
【特許請求の範囲】
【請求項１】
カバン本体の背面側における上側中央位置と下側左右対称位置それぞれとにかけて、左右一対の背負いベルトの各両端側を着脱自在に装着可能としたものであって、カバン本体の背面側に設けられて開閉可能としたポケット部と、背負いベルトの一端側を着脱可能とし、ポケット部に対して露出、収納が可能となるように当該ポケット部内側に固定した取付金具とを備えたことを特徴とするカバン。
【請求項２】
取付金具は、背負いベルトの一端側に設けた巻装固定部材を巻き込み雄雌ボタン部を嵌合することで背負いベルトの一端が取り付けられるよう、Ｄ型、円形、楕円形、三角形、矩形、五角形等の環状に形成されて成る請求項１記載のカバン。
【請求項３】
カバン本体の下側左右対称位置に対し、背負いベルトの他端側を着脱自在に装着可能としたものであって、カバン本体の背面側に設けられて開閉可能としたポケット部と、背負いベルトの一端側を着脱可能とし、ポケット部に対して背負いベルトの外出、収納が可能となるように当該ポケット部内側に、背負いベルトの一端が一体固着されて成ることを特徴とするカバン。
【請求項４】
ポケット部は、スライドファスナーによって開閉されるようにしてある請求項１乃至３のいずれか記載のカバン。
【発明の詳細な説明】
【０００１】
【発明の属する技術分野】
本発明は、取っ手または肩掛けベルトの少なくとも一つと、背負いベルトとを備え、手提げカバンまたは肩掛けカバンのいずれかと共に背負いカバンとしても使用できるように、特に携帯形態が手提げ、肩掛け、背負い等のいずれの所持形態としても使用できるいわゆるスリーウエー式の通学用に好適なカバンに関するものである。
【０００２】
【従来の技術】
従来、この種のカバンは、カバン本体に背負いベルト収納用のポケット部を設け、手提げカバンもしくは肩掛けカバンとして使用する際には、背負いベルトをカバン本体から取り外してポケット部に収納するのであった。このときカバン本体に対する背負いベルトの着脱方式としては、カバン本体の片面側における上側中央位置、下側左右対称位置それぞれに例えばＤ型金具等の環状の取付金具を縫製等によってカバン本体と一体となるように固着し、この上側中央位置の取付金具に対しては二つの背負いベルトのそれぞれ一端側に設けた例えばナス環状の掛合用フックを掛合し、下側左右対称位置の取付金具に対しては両ベルトの他端側に設けた例えばナス環状の掛合用フックをそれぞれ掛合することでカバン本体に背負いベルトが取り付けられている。そして、カバン本体を手提げカバンもしくは肩掛けカバンとして使用する際には、掛合用フックを取付金具から外すことで二つの背負いベルトそれぞれを分離し、また背負いベルトをカバン本体のポケット部内に収納しておくのであった。
【０００３】
【発明が解決しようとする課題】
しかしながらこのような従来におけるカバンでは、上側中央位置における例えばＤ型金具等の環状の取付金具は、カバン本体と一体となるように固着してあるため、手提げカバンもしくは肩掛けカバンとして使用する場合において、掛合用フックを取付金具から外すことで分離された二つの背負いベルトをカバン本体のポケット部に収納した後でも上側中央位置の取付金具自体は外部に露出した状態のままであるため、見た目からして体裁の悪いものであった。
【０００４】
そこで本発明は叙上のような従来存した諸事情に鑑み創出されたもので、携帯の所持形態が例えば手提げ、肩掛け、背負い等のいずれのものとして使用できるいわゆるスリーウエー式のカバンにおいて、背負いベルトを使用せずに、手提げカバンもしくは肩掛けカバンとして使用する場合において、カバン本体の取付金具から外すことで分離された二つの背負いベルトをカバン本体のポケット部内に収納しても取付金具自体はポケット部の外部に露出せず、見た目でも体裁の良いものとできるカバンを提供することを目的とする。
【０００５】
【課題を解決するための手段】
上述した課題を解決するため、本発明にあっては、カバン本体１の背面側における上側中央位置と下側左右対称位置それぞれとにかけて、左右一対の背負いベルトＲの各両端側を着脱自在に装着可能としたものであって、カバン本体１の背面側に設けられて開閉可能としたポケット部２と、背負いベルトＲの一端側を着脱可能とし、ポケット部２に対して露出、収納が可能となるように当該ポケット部２内側に固定した取付金具３とを備えたものである。
また、取付金具３は、背負いベルトＲの一端側に設けた巻装固定部材４を巻き込み雄雌ボタン部１５を嵌合することで背負いベルトＲの一端が取り付けられるよう、Ｄ型、円形、楕円形、三角形、矩形、五角形等の環状に形成されて成るものとできる。
さらに、カバン本体１の下側左右対称位置に対し、背負いベルトＲの他端側を着脱自在に装着可能としたものであって、カバン本体１の背面側に設けられて開閉可能としたポケット部２と、背負いベルトＲの一端側を着脱可能とし、ポケット部２に対して背負いベルトＲの外出、収納が可能となるように当該ポケット部２内側に、背負いベルトＲの一端が一体固着されて成るものである。
またポケット部２は、スライドファスナー２Ａによって開閉されるようにすることができる。
【０００６】
以上のように構成された本発明に係るカバンにおいて、取付金具３は、背負いベルトＲを使用するに際し、ポケット部２のスライドファスナー２Ａを開放して、ポケット部２の開放縁部から外方へ向けて一部を露出可能にさせる。そして、この取付金具３に背負いベルトＲ一端の巻装固定部材４を巻き込み折り返してから雄雌ボタン部１５を嵌合することで背負いベルトＲの一端を取付金具３に取り付けさせる。
一方、背負いベルトＲを使用しない場合は、当該背負いベルトＲの一端の巻装固定部材４が取付金具３から取り外され、背負いベルトＲの他端側をカバン本体１の下側左右対称位置から取り外した後に、取付金具３はポケット部２の開放縁部の内方へ収納されると同時に、分離した背負いベルトＲはポケット部２内に収納される。
内側に背負いベルトＲの一端が一体固着されて成るポケット部２は、背負いベルトＲを使用しない場合は、背負いベルトＲの他端側をカバン本体１の下側左右対称位置から取り外すだけで、背負いベルトＲをこのままポケット部２内に収納可能にさせる。
またスライドファスナー２Ａによってポケット部２を開閉することで、不使用時の背負いベルトＲ、取付金具３を隠蔽し、体裁を良好にさせる。
【０００７】
【発明の実施の形態】
以下図面を参照して本発明の実施の形態を説明すると、図１乃至図４において示される第１の実施の形態における符号１は、例えば通学用、通勤用、旅行用等様々な用途として使用可能なカバン本体であって、このカバン本体１自体には取っ手Ｐ、一本の肩掛けベルトＱ、左右一対の背負いベルトＲそれぞれを備え、手提げカバンまたは肩掛けカバンあるいは背負いカバン等として、いわゆるスリーウエー式のものとして携帯時の自由な所持形態を選択して使用できるものとしてある。
【０００８】
尚、本実施の形態では、カバン本体１自体には取っ手Ｐ、肩掛けベルトＱ、背負いベルトＲそれぞれを備えているものとしてあるも、本発明はこれに限定されるものではなく、例えばカバン本体１に取っ手Ｐまたは肩掛けベルトＱのいずれか一つを備えたものでも良いことは勿論である。
【０００９】
図１に示すように、カバン本体１の背面部上側には、スライドファスナー（図示せず）によって開閉可能とした上方マチ部の開放口を覆うための蓋部１１の取付基端部を縫製等によって固着する一方、正面部上側中央には、蓋部１１の先端部側を固定するための面ファスナー部１２とバックル部１３とがそれぞれ設けられている。そして、カバン本体１の背面側には蓋部１１の取付基端部に沿って左右方向に移動する左右に一対のスライダー２Ｂを有するスライドファスナー２Ａにより開閉可能としたポケット部２が設けられ、ポケット部２の内側には後述する背負いベルトＲの一端を取り付けるための例えばＤ型金具等の取付金具３が取り付けられている。
【００１０】
尚、この取付金具３としては、本実施の形態ではＤ型金具を使用しているが、このような形状自体が本発明を限定するものではなく、例えば円形、楕円形、三角形、矩形、五角形等の環状を呈する各種の金具を使用することもできる。
【００１１】
この取付金具３は、図２に示すように、ポケット部２のスライドファスナー２Ａ位置の下側において、取付金具３のＤ型直線部分３Ｂを水平にして例えば三つのリベット等の締結部材によって固着してある帯板部材により巻き込み保持された状態で揺動可能となるように装着してある。背負いベルトＲを使用するに際し、ポケット部２のスライドファスナー２Ａを開放させてから、取付金具３のＤ型円弧部分３Ａをポケット部２の開放縁部から外方へ露出させるものとしてある。また、背負いベルトＲを使用しない場合は、図３に示すように、当該背負いベルトＲを取付金具３から取り外した後に、Ｄ型円弧部分３Ａをポケット部２の開放縁部の内方へ収納させておくものとしてある。
【００１２】
取っ手Ｐは、カバン本体１の下縁部から正面側上端の蓋部１１先端部位置手前にわたって、またカバン本体１の下縁部から背面側上端の蓋部１１基端部位置手前にわたって、それぞれ二つの帯体の両端部側を例えば縫着等によって固着し、それぞれの帯体の固着されていない中央部側をカバン本体１の外方に向けて突出させることで形成してある。
【００１３】
そして、正面側、背面側それぞれの取っ手Ｐのうちいずれかの中央部には、矩形帯板状の把持部材１４の中央部分を縫製等によって固着し、把持部材１４の中央部分を介しての左右対称部位には上下に一対の雄雌ボタン部１５を設けてあり、蓋部１１を閉塞した状態での取っ手Ｐ使用に際し、正面側、背面側それぞれの取っ手Ｐを互いに対向配置させてから、一方の取っ手Ｐの把持部材１４によって他方の取っ手Ｐの中央部を巻き込んでから雄雌ボタン部１５の嵌合によって固定し、把持部材１４を手で持って運べるようにしてある。
【００１４】
肩掛けベルトＱは、カバン本体１の側方マチ部に固着した例えばＤ型金具等の取付金具３に対し、当該肩掛けベルトＱの両端に取り付けられている例えばナス環状の掛合用フック５を掛合させることで装着されるもので、肩掛けベルトＱの途中には自体の長さを自由に調整するための調整金具１６が設けられている。
【００１５】
背負いベルトＲは、図２に示すように、カバン本体１のポケット部２内側の取付金具３に対して背負いベルトＲの一端側が着脱可能となるように、一端に帯板状の巻装固定部材４の縁端部側を縫製もしくはリベット等によって固着してある。そして、背負いベルトＲの長手方向に沿って巻装固定部材４の両縁端部位置には左右一対の雄雌ボタン部１５を付設することで取付金具３のＤ型円弧部に巻装固定部材４を巻き込み折り返してから雄雌ボタン部１５を嵌合することで背負いベルトＲの一端が取付金具３に取り付けられるものとしてある。
【００１６】
また、カバン本体１の下側左右対称位置にリベット等の締結部材によって固着した帯板部材により巻き込み保持された状態で揺動可能となるように例えばＤ型金具等の取付金具３が取り付けられる一方、背負いベルトＲの他端には例えばナス環状の掛合用フック５を設けることで、下側左右対称位置に設けた取付金具３に対して左右一対の背負いベルトＲの各他端側が着脱自在に装着できるようにしてある。また、背負いベルトＲの途中には自体の長さを調整することでカバン本体１を背負ったときの上下位置を自由に調節するための調整金具１６が設けられている。
【００１７】
ナス環状の掛合用フック５の具体的な構成は、肩掛けベルトＱ、背負いベルトＲそれぞれの端部に取り付けられた環状部材５Ｄの一端中央からベルト方向に沿って延設され、環状部材５Ｄに対して回動可能とした脚部５Ａと、この脚部５Ａの先端に設けられる鉤状部５Ｂと、脱落防止用の略矩形枠状に形成された舌片５Ｃとから構成されている。鉤状部５Ｂは脚部５Ａから斜め上方に延びたのち略半円に湾曲した形状で、その遊端部は舌片５Ｃの遊端部とオーバーラップし、且つ鉤状部５Ｂの遊端部の内側に位置している。舌片５Ｃは、鉤状部５Ｂの根元部に対して離間する方向に延びており、しかも内蔵されているバネの弾発力によって外方へ向けて付勢力を付与することで鉤状部５Ｂの遊端部内側に常時係止されている。そして、取付金具３に対する掛合用フック５の取り付けに際し、舌片５Ｃを取付金具３に強く押し当てることで当該舌片５Ｃを鉤状部５Ｂの遊端部内側に押し込みながら鉤状部５Ｂ内側に取付金具３を挿入すれば、舌片５Ｃは外方に弾発復帰して鉤状部５Ｂの遊端部内側に係止され、これによって取付金具３に対し脱落せずに掛合用フック５が装着される。
【００１８】
もとより、図示のようにポケット部２の開口部はスライドファスナー２Ａによって開閉自在にすることでも、図示を省略したが常時開放状態でも、更には他の留め具によって閉塞できるようにしておいても良いものである。
【００１９】
次に以上のように構成された実施の形態についての使用状態の一例を説明するに、図２に示すように、背負いベルトＲを使用するに際し、ポケット部２の左右一対のうちいずれか一方のスライダー２Ｂをスライドさせてスライドファスナー２Ａを開放し、取付金具３のＤ型円弧部分３Ａをポケット部２の開放縁部から外方へ露出しておく。そして、この取付金具３に背負いベルトＲ一端の巻装固定部材４を巻き込み折り返してから雄雌ボタン部１５を嵌合することで背負いベルトＲの一端を取付金具３に取り付ける一方、背負いベルトＲの他端の掛合用フック５をカバン本体１の下側左右対称位置にある取付金具３にそれぞれ掛合する（図１参照）。このときポケット部２のスライドファスナー２Ａを露出している取付金具３手前付近まで若干閉塞しておく。しかる後、調整金具１６によって、背負いベルトＲの途中の長さを調整することでカバン本体１の背負い上下位置を希望の位置に調節してからカバン本体１を背負うようにすれば良い。
【００２０】
また、背負いベルトＲを使用しない場合は、図３に示すように、当該背負いベルトＲの一端の巻装固定部材４をポケット部２側の取付金具３から取り外し、背負いベルトＲの他端の掛合用フック５をカバン本体１の下側左右対称位置側の取付金具３から取り外した後に、取付金具３のＤ型円弧部分３Ａをポケット部２の開放縁部の内方へ収納させると同時に、分離した背負いベルトＲをポケット部２内に収納してスライドファスナー２Ａを閉塞しておく。尚、掛合用フック５をカバン本体１の下側左右対称位置の取付金具３から取り外しただけで、背負いベルトＲをポケット部２側の取付金具３に装着したままの状態でポケット部２内に収納しても良い。尚、カバン自体は通学用のみならず、通勤用更に旅行用のものとしても利用可能であり、その使用態様等は特に限定されるものではない。
【００２１】
図５には本発明に係る第２の実施の形態が示されており、第１の実施の形態における構成と略同じ部分には同じ符号を付してあることでその詳細な説明を省略してある。本実施の形態においては、ポケット部２のスライドファスナー２Ａ位置の下側における当該ポケット部２の内側に、背負いベルトＲの一端が例えば縫着することにより、あるいはリベット等の締結部１７によりカバン本体１と一体となるように固着されている。こうすることによって、背負いベルトＲを使用しない場合には、掛合用フック５をカバン本体１の下側左右対称位置の取付金具３から取り外すだけで、背負いベルトＲをこのままそっくりポケット部２内に収納してからスライドファスナー２Ａを閉塞すれば良い。
【００２２】
【発明の効果】
本発明は以上のように構成されているために、背負いベルトＲを使用せずに、手提げカバンもしくは肩掛けカバンとして使用する場合において、カバン本体１の取付金具３から外すことで分離された二つの背負いベルトＲをカバン本体１のポケット部２内に収納しても取付金具３自体はポケット部２の外部に露出せず、見た目でも、体裁の良いものとすることができ、特にスリーウエー式の所持形態となる通学用として好適なものである。
【００２３】
すなわちこれは本発明が、カバン本体１の背面側の開閉可能としたポケット部２と、背負いベルトＲの一端側を着脱可能とし、ポケット部２に対して露出、収納が可能となるように当該ポケット部２内側に固定した取付金具３とを備えたからであり、これにより、背負いベルトＲを使用しない場合に、取付金具３自体をポケット部２の内部に容易に収納しておくことができる。
【００２４】
また、取付金具３は、背負いベルトＲの一端側に設けた巻装固定部材４を巻き込み雄雌ボタン部１５を嵌合することで背負いベルトＲの一端が取り付けられるよう、Ｄ型、円形、楕円形、三角形、矩形、五角形等の環状に形成されて成るので、取付金具３に対する背負いベルトＲの着脱が確実且つ容易に行える。
【００２５】
さらに、カバン本体１の背面側の開閉可能としたポケット部２と、背負いベルトＲの一端側を着脱可能とし、ポケット部２に対して背負いベルトＲの外出、収納が可能となるように当該ポケット部２内側に、背負いベルトＲの一端が一体固着されて成るので、背負いベルトＲを使用しない場合には、背負いベルトＲ自体をポケット部２の内部に容易に収納しておくことができる。
【００２６】
ポケット部２をスライドファスナー２Ａにより開閉自在にすることで、不使用時の背負いベルトＲ、取付金具３等をポケット部２内に収納したとき、これらを隠蔽状態に保持でき、不使用時のカバン全体の体裁を良好なものとすると共に、その紛失等をも防止できる。
【図面の簡単な説明】
【図１】本発明の第１の実施の形態における背負いベルトを取り付けた状態の背面斜視図である。
【図２】同じく背負いベルトの装着方法を示す一部切欠斜視図である。
【図３】同じく背負いベルトを収納した状態の斜視図である。
【図４】同じく使用状態の斜視図である。
【図５】本発明の第２の実施の形態における背負いベルトを取り付けた状態の背面斜視図である。
【符号の説明】
Ｐ…取っ手                          Ｑ…肩掛けベルト
Ｒ…背負いベルト
１…カバン本体                      ２…ポケット部
２Ａ…スライドファスナー            ２Ｂ…スライダー
３…取付金具                        ３Ａ…Ｄ型円弧部分
３Ｂ…Ｄ型直線部分                  ４…巻装固定部材
５…掛合用フック                    ５Ａ…脚部
５Ｂ…鉤状部                        ５Ｃ…舌片
５Ｄ…環状部材
１１…蓋部                          １２…面ファスナー部
１３…バックル部                    １４…把持部材
１５…雄雌ボタン部                  １６…調整金具
１７…締結部
【図１】
2004290425.tif 000003
【図２】
2004290425.tif 000004
【図３】
2004290425.tif 000005
【図４】
2004290425.tif 000006
【図５】
2004290425.tif 000007